(57)【要約】      （修正有）【課題】障害や高齢及び病状等により、よだれかけを必要とする幅広い年齢の人々に対し、機能性と安全性とファツション性のあるよだれかけを提供する。【解決手段】吸水性とファツション性を併せ持つ布地を使ったよだれかけ本体１の左右端部近く２のしぼり部分４に、一対の取外し可能留め具３をそれぞれ配設し、双方の取外し可能留め具の着脱機能部分を介して、着脱可能に環状に接合する。取外し可能留め具は、マグネット、面ファスナー、ホック、ボタン、クリップ、粘着シートのいずれかからなり、接合は、よだれかけ本体を、片手で引っ張るだけで容易に外れ便利な機能であると共に、外部からの牽引にも容易に外れ安全である。【選択図】図１
0003213211.tif 000002
【実用新案登録請求の範囲】
【請求項１】
よだれかけ本体の左右端部近くに、一対の留め具を配設して、首の後にまわし、前記留め具同士の接合により、身体からずれ落ちることがなく着用できるよだれかけにおいて、前記留め具同士の接合は、着脱可能であると共に、よだれかけ本体を強い力で引いた時には、よだれかけ本体から前記留め具が外れるか、前記留め具からよだれかけ本体が抜けて外れることを特徴とする取外し可能留め具付よだれかけ。
【請求項２】
前記留め具は、マグネット、面ファスナー、ホック、ボタン、クリップ、粘着シートのいずれかを介して、留め具同士が着脱可能に接合することを特徴とする請求項１記載の取外し可能留め具付よだれかけ。
【請求項３】
前記留め具は、よだれかけ本体から取外し可能で、留め具の位置を自在に変えることができることを特徴とする請求項１または、請求項２記載の取外し可能留め具付よだれかけ。
【請求項４】
前記留め具は、蓄光及び蛍光素材を含むゴム及びシリコン、布、ビニール、革、プラスチック、金属、面ファスナーのいずれかの素材により、よだれかけ本体の布地の左右端部近くのしぼり部分に配設することを特徴とする請求項１から請求項３のいずれかに記載の取外し可能留め具付よだれかけ。
【請求項５】
前記よだれかけ本体は、表地に吸水力の高い綿、裏地に防水または撥水加工された合成繊維からなり、変形三角形または変形台形または変形半円形で、左右端部近く付近が幅広く長い形状を有し、食べこぼれた飲食物を貯留するポケットを有することを特徴とする請求項１から請求項４のいずれかに記載の取外し可能留め具付よだれかけ。
【請求項６】
前記よだれかけ本体は、端部にフック掛け用穴または輪状の紐を有し、裏側に小物入れポケットと、記名スペースを有することを特徴とする請求項１から請求項５のいずれかに記載の取外し可能留め具付よだれかけ。
【考案の詳細な説明】
【技術分野】
【０００１】  この考案は、首元から胸元にかけて装着するよだれかけに関するものである。
【背景技術】
【０００２】  特許文献１には、タオルハンカチに設けたスナップボタンと、リボンテープに設けたスナップボタンとを、留めたり外したりすることで、よだれかけとよだれふきを兼用する方法が提案されている。
【先行技術文献】
【特許文献】
【０００３】
【特許文献１】特開２０１１−２３１４４２号公報
【考案の概要】
【考案が解決しようとする課題】
【０００４】  前記の先行技術文献のものによっても、タオルハンカチと、リボンテープが取外し可能なことにより、よだれかけとよだれふきが兼用でき便利で、さらに、よだれかけには見えないという効果もあったが、障害や病状等により学童期から老年期によだれかけを着用する場合においては、首の後でのスナップボタンの形状が、乳幼児用よだれかけの仕様のイメージから脱することがなかった。【０００５】  即ち、この公知例のよだれかけを幅広い年齢の人が着用する場合は、機能性とファッション性においての改善が望まれる。【０００６】  この考案が解決しようとする第１の課題点は、年齢を問わない便利な機能と安全性、さらに材料が安価で、構造が単純で、製造が容易なものを提供することである。【０００７】  この考案が解決しようとする第２の課題点は、外見にはバンダナやスカーフやマフラーを首に装着しているかの如くに見えるという、ファッション性に優れたよだれかけを提供することである。
【課題を解決するための手段】
【０００８】  前記の各課題を解決するための対応手段は以下の如くである。【０００９】  よだれかけ本体の左右端部近くに配設した取外し可能留め具同士が、着脱可能に環状に接合し、首からさげた状態で着用できる。また、片手で引くことで容易に外れ便利な上、安全である。【００１０】  前記の取外し可能留め具は、マグネット、面ファスナー、ホック、ボタン、クリップ、粘着シートのいずれかにより、留め具同士が着脱可能に接合する。【００１１】  前記の取外し可能留め具は、よだれかけ本体に配設しうるが、取外し可能な機能を有し、簡単に配設位置の移動ができる。【００１２】  前記の取外し可能留め具の本体は、蓄光及び蛍光素材を含むゴム、シリコン、布、ビニール、革、プラスチック、金属、面ファスナーのいずれかの素材からなり、よだれかけ本体の布地をしぼって留め、またしぼり寸法の調整ができる。【００１３】  よだれかけ本体は、表地に吸水力の高い綿のタオル地またはガーゼ等で、裏地に防水または撥水加工された合成繊維で形成している。【００１４】  前記のよだれかけ本体は、変形三角形または変形台形、または変形半円形で、左右端部近く付近が幅広く長い形状で、下部に食べこぼし貯留ポケットを有する。【００１５】  前記のよだれかけ本体は、フック掛け用の穴または輪状の紐を有し、裏側に小物入れポケットと、記名スペースを有する。
【考案の効果】
【００１６】  この考案は、よだれかけの着用者および支援者や介護者が容易に装着脱でき、自立行動に有効で、尚且つ、支援や介護の場面においても便利である。【００１７】  よだれかけ着用時に、よだれかけが何かに引っかかるまたは、他者からの前後左右の引っ張りにおいて、一定の牽引力を超えると、留め具同士の接合が外れるか、または、よだれかけ本体から留め具が外れるか、留め具からよだれかけ本体が抜けて外れるかの仕組みであるため、着用者の首への衝撃と心身のダメージが少なく安全である。【００１８】  よだれかけ着用者の首の太さや着用条件等に合わせ、よだれかけ本体上の取外し可能留め具の配設位置を任意に移動させて、首周りのサイズを調整できる。【００１９】  また洗濯時は、よだれかけ本体から取外し可能留め具を外し、よだれかけ本体のみを洗濯することができるので、取外し可能留め具の傷みが少ない。【００２０】  取外し可能留め具は、着用理由や条件や好みに合わせ、ゴム等のさまざまな素材と、マグネットや面ファスナー等の着脱可能な素材とを組み合わせて構成することができる。【００２１】  また蓄光及び蛍光素材の取外し可能留め具においては、夜間の災害時の安全確認等にも有効に働くものである。【００２２】  よだれかけ本体は、吸水力の高い布地で、裏地に防水または撥水加工の布地を使用し、多量の唾液や飲食物の付着にも対応できる。【００２３】  さらに、食べこぼし貯留ポケットや、フック掛け用穴または輪状の紐を有する。また、小物入れポケットと記名スペースも有し多機能で実用的である。【００２４】  この考案は、従来の乳幼児用よだれかけに便利な機能を加えると共に、さらに外見のイメージを変えさせることで、学童期、青年期、成人期、中年期、老年期において違和感無く着用ができ、着用者自身は元より、着用者の周りの人々においても、よだれかけの着用を意識させない効果がある。【００２５】  この便利な機能と安全性を備えた、一見バンダナやスカーフやマフラーを装着しているかの如くに見える、よだれかけの着用を感じさせないファッション性のあるおしゃれなよだれかけは、学童期から老年期の着用者の羞恥や不安を減らし、自尊心と自己肯定感及び自信を持たせることができ、活き活きとした生活へ繋がるものである。【００２６】  そのことは、よだれかけの着用者の尊厳を守ることとなり、さらには支援者及び介護者等周りの人々が、着用者を尊重する意識へと影響しうる。【００２７】  以上のことにより、この考案は、年齢、性別、体格、障害、病状等に関係なく、よだれかけが必要な人々の心と生活の支援策として期待でき、ユニバーサルデザインとして社会貢献に繋がるものである。
【図面の簡単な説明】
【００２８】
【図１】本考案の実施例の使用形態の説明図
【図２】よだれかけ本体の形状の説明図
【図３】取外し可能留め具が伸縮性の機能を備えたものの使用形態の説明図
【図４】取外し可能留め具がアジャスター機能を備えたものの使用形態の説明図
【図５】取外し可能留め具がばねの機能を備えたものの使用形態の説明図
【図６】取外し可能留め具にアジャスター機能が無い使用形態の説明図
【図７】よだれかけ本体の裏面の使用形態の説明図
【考案を実施するための形態】
【００２９】  以下に、本考案の形態例を図面に基づいて説明する。
【００３０】  図１は、本考案の使用形態の基本構成であり、よだれかけ本体１と、左右端部近く２と、取外し可能留め具３と、しぼり部分４と、重なり部分５と、食べこぼし貯留ポケット８からなる説明図である。
【００３１】  よだれかけ本体１は、左右端部近く２のしぼり部分４に、一対の取外し可能留め具３をそれぞれ配設し、重なり部分５において、取外し可能留め具３同士の着脱機能部分１１で着脱可能に接合し環状になる。重なり部分５は、一見、結んでいるかの如くに見え、バンダナやスカーフやマフラーを首に巻いているような雰囲気になる。よって、障害や高齢及び病状等でよだれかけを必要とする幅広い年齢の人々が、違和感無く着用できる。
【００３２】  図１のよだれかけ本体１に配設した一対の取外し可能留め具３同士の接合は、片手で引くことで容易に外れ脱着でき便利である。また、着用時に外部からの危険な強い牽引においては、前記脱着の他に、よだれかけ本体１から取外し可能留め具３が外れることでの脱着及び、取外し可能留め具３からよだれかけ本体１が抜けて外れることでの脱着があり、首への負担が少なく安全である。
【００３３】  また、取外し可能留め具３の素材に蓄光および蛍光の機能を設けることで、夜間の災害時の安全確認等に有効である。
【００３４】  取外し可能留め具３は、着用者の首の太さや着用理由等に合わせて、よだれかけ本体１の左右端部近く２の任意の位置に取外し可能に配設することができる。したがって、都度、着用状況に合わせて取外し可能留め具３の位置が簡単に移動でき、首周りのサイズを調整できる。さらに洗濯の際は、取外し可能留め具３を取外し、よだれかけ本体１のみを洗濯することができるので、取外し可能留め具３の傷みが少ない。
【００３５】  よだれかけ本体１に配設した一対の取外し可能留め具３は、着用者の使用条件によって、片方のみを縫製等で取外し不可能にしたり、双方とも縫製等で取外し不可能にできることは、言うまでもない。
【００３６】  よだれかけ本体１の表面６の布地は、吸水性の高い綿のタオル地またはガーゼ等からなり、ファッション性のある色柄にしうる。また、裏面７の布地は、防水または撥水加工された合成繊維からなる。
【００３７】  よだれかけ本体１の食べこぼし貯留ポケット８の形状や寸法は、着用対象者の用途に合わせ、よだれかけ本体１の身丈の３分の１前後の寸法で、よだれかけ本体１の下部に位置する。また用途によっては、食べこぼし貯留ポケット８が無くてもよい。
【００３８】  食べこぼし貯留ポケット８の表面９の素材及び色柄と、よだれかけ本体１の表面６の素材及び色柄とを同じ布地にすることで、食べこぼし貯留ポケット８の存在が目立たなく着用できる。また、その布地の柄を、ペイズリー柄やカモフラージュ柄や千鳥格子柄等の複雑な模様にすると、さらに食べこぼし貯留ポケット８が目立たなくなり、ファッション性のあるお洒落なよだれかけになる。
【００３９】  図１の取外し可能留め具３は、着脱機能部分１１のマグネット、面ファスナー、ホック、クリップ、ボタン、粘着シートのいずれかを介して、重なり部分５において取外し可能留め具３同士が、着脱可能に接合できる。
【００４０】  よだれかけ本体１にフック掛け用穴１０を設けることにより、着用中一時的に外す場合、フックに掛けることで、唾液等の付着した表面６等が空間で保管でき衛生的で、また収納にも便利である。フック掛け穴１０に替えて、輪状の紐を付けてもよい。フックに掛ける必要が無い場合は、フック掛け穴１０及び輪状の紐を設けなくてもよい。
【００４１】  図２は、よだれかけ本体１の形状の種類を示したものである。（ａ）は変形三角形の形状のもの、（ｂ）は変形台形の形状のもの、（ｃ）は変形半円形の形状のものである。前記（ａ）（ｂ）（ｃ）の形状においては、留め具の配設位置を任意に移動させて首周りのサイズ調整を図るため及び、留め具が容易に外れないようにするために、左右端部近く２付近が幅広く長い形状である。しかし、用途やデザインによって、これらの形状に限定されないことは言うまでもない。また、よだれかけ本体１に、食べこぼし貯留ポケット８と、フック掛け穴１０を有するが、必要のない場合は設けなくてよい。
【００４２】  図３の（ａ）は、取外し可能留め具３の一対で、ゴムまたはシリコンのいずれかの伸縮性の機能を備えた素材で輪状に形成し、マグネット、面ファスナー、ホック、ボタン、クリップ、粘着シートのいずれかの素材の着脱機能部分１１で、取外し可能留め具３同士が着脱可能に接合する。また、ゴムやシリコンの周りに布等を巻く等し、ゴムやシリコンを見えなくさせてもよい。
【００４３】  図３の（ｂ）は、取外し可能留め具３の一対で、ゴムまたはシリコンのいずれかの伸縮性の機能を備えた素材のサイズ違いの輪状を複数形成した形状で、マグネット、面ファスナー、ホック、ボタン、クリップ、粘着シートのいずれかの素材の着脱機能部分１１で、取外し可能留め具３同士が着脱可能に接合する。尚、その複数の輪状の中から選択することにより、よだれかけ本体１のしぼり部分４の束ねる寸法を調節できる。
【００４４】  図４の（ａ）は、取外し可能留め具３の一対で、ゴム、シリコン、布、ビニール、革のいずれかの素材で、ギボシ１２とギボシ用穴を備えて形成し、マグネット、面ファスナー、ホック、ボタン、クリップ、粘着シートのいずれかの素材の着脱機能部分１１を有し、取外し可能め具３同士が着脱可能に接合する。尚、（ａ１）は、ギボシ１２にマグネット、面ファスナー、ホック、ボタン、クリップ、粘着シートのいずれかの素材の着脱機能部分１１を取り付けたもので、取外し可能留め具３の一対を真上から見た説明図である。
【００４５】  図４の（ｂ）は、取外し可能留め具３の一対で、ゴム、シリコン、布、ビニール、革のいずれかの素材で、バックルセット１３を備えて形成し、マグネット、面ファスナー、ホック、ボタン、クリップ、粘着シートのいずれかの素材の着脱機能部分１１で、取外し可能留め具３同士が着脱可能に接合する。
【００４６】  図４の（ｃ）は、取外し可能留め具３の一対で、ゴム、シリコン、布、ビニール、革のいずれかの素材で、アジャスター機能付バックル１４を備えて形成し、マグネット、面ファスナー、ホック、ボタン、クリップ、粘着シートのいずれかの素材の着脱機能部分１１で、取外し可能留め具３同士が着脱可能に接合する。
【００４７】  図４の（ｄ）は、取外し可能留め具３の一対で、面ファスナー１５の素材で形成し、マグネット、面ファスナー、ホック、ボタン、クリップ、粘着シートのいずれかの素材の着脱機能部分１１を有し、取外し可能留め具３同士が着脱可能に接合する。尚、取外し可能留め具３を面ファスナー１５の素材で形成したことにより、よだれかけ本体１のしぼり部分４の束ねる寸法を自在に調整できる。
【００４８】  図５の（ａ）と（ｂ）は、取外し可能留め具３のそれぞれ一対で、プラスチックや金属のいずれかの素材で、ばね１６の機能を備えて形成し、マグネット、面ファスナー、ホック、ボタン、クリップ、粘着シートのいずれかの素材の着脱機能部分１１で、取外し可能留め具３同士が着脱可能に接合する。尚、ばね１６の機能により、よだれかけ本体１の布を挟み込んで配設できる。
【００４９】  図６は、取外し可能留め具３の一対で、プラスチックや金属のいずれかの素材で形成し、マグネット、面ファスナー、ホック、ボタン、クリップ、粘着シートのいずれかの素材の着脱機能部分１１で、取外し可能留め具３同士が着脱可能に接合する。尚、この取外し可能留め具３の一対は、主によだれかけ本体１での配設位置が、ほぼ限定している場合に用いるとよい。
【００５０】  図３、図４、図５、図６の説明図は、それぞれ同じ素材のもの同士が一対になっている取外し可能留め具３の使用形態であるが、違う素材の取外し可能留め具３同士を組み合わせて一対にしてもよい。
【００５１】  図７のよだれかけ本体１の裏面７においては、テッシュやミニハンカチ、ミニ保冷剤やミニカイロ等を入れるための、軽量な布や網で形成された小物入れポケット１７を有する。また、紛失時や災害時の本人確認に必要な記名スペース１８を有する。尚、小物入れポケット及び記名スペースの必要が無い場合は、それに限らない。
【００５２】  本考案の取外し可能留め具付よだれかけの装着方法は、まず図１の取外し可能留め具３を、よだれかけ本体１の左右端部近く２の端から、布地を少し残したしぼり部分４にそれぞれ配設し、首にまわして双方の取外し可能留め具３の着脱機能部分１１同士を、重なり部分５で上下に重ね首の後部で接合させる。
【００５３】  尚、首の後部での、取外し可能留め具３同士の接合に困難さがある場合や、背もたれ使用時に首の後部に違和感がある場合等は、取外し可能留め具３同士を首の横の位置で接合させて着用することもできる。その際は、よだれかけ本体１の取外し可能留め具３を、条件に合わせて適切な位置に配設して着用する。
【００５４】
【符号の説明】
【００５５】  １  よだれかけ本体
２  左右端部近く
３  取外し可能留め具
４  しぼり部分
５  重なり部分
６  表面
７  裏面
８  食べこぼし貯留ポケット
９  食べこぼし貯留ポケット表面
１０  フック掛け穴
１１  着脱機能部分
１２  ギボシ
１３  バックルセット
１４  アジャスター機能付バックル
１５  面ファスナー
１６  ばね
１７  小物入れポケット
１８  記名スペース
【図１】
0003213211.tif 000003
【図２】
0003213211.tif 000004
【図３】
0003213211.tif 000005
【図４】
0003213211.tif 000006
【図５】
0003213211.tif 000007
【図６】
0003213211.tif 000008
【図７】
0003213211.tif 000009